(57)【要約】      （修正有）【課題】表示品質を改善可能な液晶表示装置を提供する。【解決手段】液晶表示装置は、第１基板、第１基板に対向する第２基板、第１基板と第２基板との間に設置される液晶層、及び、第１基板と第２基板との間に位置する遮光パターン部を含む。第２基板は、複数のリード線を含む。遮光パターン部１３には、これらのリード線のうちの１本が第１方向Ｄ１に投影されて投影線分２１Ｐが形成される。投影線分は、遮光パターン部内に位置し、湾曲部と、湾曲部の両端に連結される２つの延在部とを含む。遮光パターン部の縁部と湾曲部との間の第２方向Ｄ２の距離は、遮光パターン部の縁部と２つの延在部の一方との間の第２方向の距離と異なる。第１方向は、第２方向に垂直となる。【選択図】図６
0003194343.tif 000002
【実用新案登録請求の範囲】
【請求項１】
液晶表示装置であって、
第１基板と、
前記第１基板に対向して設置され、複数のリード線を含む第２基板と、
前記第１基板と前記第２基板との間に設置される液晶層と、
前記第１基板と前記第２基板との間に位置する遮光パターン部と、を含み、
前記遮光パターン部には、前記複数のリード線のうちの一本が第１方向に投影されて投影線分が形成され、
前記投影線分は、前記遮光パターン部内に位置し、且つ湾曲部と前記湾曲部の両端に連結される２つの延在部とを含み、
前記遮光パターン部の縁部と前記湾曲部との間の第２方向の距離は、前記遮光パターン部の縁部と２つの前記延在部の一方との間の第２方向の距離と異なり、
前記第１方向は、前記第２方向に垂直となることを特徴とする液晶表示装置。
【請求項２】
前記湾曲部は、対向する外方突出側辺と内方突出側辺とを含み、
前記遮光パターン部の縁部は、前記外方突出側辺に隣接する第１縁部と、前記内方突出側辺に隣接する第２縁部とを含み、
前記投影線分は、前記第１縁部と前記第２縁部との間に位置することを特徴とする請求項１に記載の液晶表示装置。
【請求項３】
前記遮光パターン部の第１縁部と前記湾曲部との間の前記第２方向の距離は、前記遮光パターン部の第１縁部と２つの前記延在部の一方との間の前記第２方向の距離よりも短いことを特徴とする請求項２に記載の液晶表示装置。
【請求項４】
前記遮光パターン部の第２縁部と前記湾曲部との間の前記第２方向の距離は、前記遮光パターン部の第２縁部と２つの前記延在部の一方との間の前記第２方向の距離よりも長いことを特徴とする請求項２に記載の液晶表示装置。
【請求項５】
前記第１縁部と前記湾曲部との間の前記第２方向の距離は、前記第２縁部と前記湾曲部との間の前記第２方向の距離よりも短いことを特徴とする請求項２に記載の液晶表示装置。
【請求項６】
前記遮光パターン部は、前記湾曲部に対して遮光用曲げ部を有し、
前記第１縁部は、第１湾曲縁部を有し、前記第２縁部は、第２湾曲縁部を有し、
前記遮光用曲げ部は、前記第１湾曲縁部と前記第２湾曲縁部との間に位置することを特徴とする請求項２に記載の液晶表示装置。
【請求項７】
前記遮光パターン部の前記遮光用曲げ部の曲率は、前記投影線分の前記湾曲部の曲率よりも小さいことを特徴とする請求項６に記載の液晶表示装置。
【請求項８】
前記遮光パターン部は、遮光用曲げ部を有し、
前記遮光用曲げ部の周縁は、最小曲率半径Ｒｃを有し、前記湾曲部の周縁は、最小曲率半径Ｒｍを有し、
前記最小曲率半径Ｒｃは、前記最小曲率半径Ｒｍよりも大きいことを特徴とする請求項１に記載の液晶表示装置。
【請求項９】
前記第１基板は、第１色遮断部と第２色遮断部とを含み、
前記投影線分は、隣り合う前記第１色遮断部と前記第２色遮断部との間に位置することを特徴とする請求項１に記載の液晶表示装置。
【請求項１０】
前記第２色遮断部の縁部と前記湾曲部との間の前記第２方向の距離は、前記第１色遮断部の縁部と前記湾曲部との間の前記第２方向の距離よりも短いことを特徴とする請求項９に記載の液晶表示装置。
【請求項１１】
前記第１色遮断部の縁部と２つの前記延在部の一方との間の前記第２方向の距離は、前記第１色遮断部の縁部と前記湾曲部との間の前記第２方向の距離よりも短いことを特徴とする請求項９に記載の液晶表示装置。
【請求項１２】
前記第２色遮断部の縁部と２つの前記延在部の一方との間の前記第２方向の距離は、前記第２色遮断部の縁部と前記湾曲部との間の前記第２方向の距離よりも長いことを特徴とする請求項９に記載の液晶表示装置。
【請求項１３】
前記湾曲部に隣接する前記第１色遮断部の周縁は、最小曲率半径Ｒｃを有し、
前記第１色遮断部に隣接する前記湾曲部の周縁は、最小曲率半径Ｒｍを有し、
前記最小曲率半径Ｒｍは、前記最小曲率半径Ｒｃよりも小さいことを特徴とする請求項９に記載の液晶表示装置。
【請求項１４】
前記投影線分の前記湾曲部は、外方突出側辺と、前記外方突出側辺に対向する内方突出側辺とを含み、
前記外方突出側辺の曲率は、前記内方突出側辺の曲率よりも大きいことを特徴とする請求項１に記載の液晶表示装置。
【請求項１５】
前記外方突出側辺は、第１アークであり、
前記内方突出側辺は、第２アークであり、
前記第１アークの曲率半径は、前記第２アークの曲率半径よりも小さいことを特徴とする請求項１４に記載の液晶表示装置。
【考案の詳細な説明】
【技術分野】
【０００１】
本考案は、液晶表示装置に関し、特に、リード線の曲率とリード線に対応する遮光パターン部の曲率とが異なる液晶表示装置に関する。
【背景技術】
【０００２】
表示パネルを有する電子製品、例えば、スマートフォン（Ｓｍａｒｔ  Ｐｈｏｎｅ）、タブレットパソコン（Ｐａｄ）、ノートパソコン（Ｎｏｔｅｂｏｏｋ）、表示装置（Ｍｏｎｉｔｏｒ）及びテレビ（ＴＶ）等の関連製品は、既に現代人にとって業務遂行や勉強、レジャーのために必要不可欠なものとなる。その中、特に液晶表示パネルは、最も広く世の中に普及している。液晶表示パネルは、簡素化、軽量化、可搬性、安価化、高信頼性、及び目に優しい等の機能を有するため、ブラウン管表示装置（ＣＲＴ）の代わりに急速に広がりつつある。さらに、液晶表示パネルは、多様なサイズ、形状、解像度等から選択可能である。
【考案の概要】
【考案が解決しようとする課題】
【０００３】
液晶表示パネルの製造時に、製造工程の細部に、例えば、導電層をパター化するときに断線しないように細心の注意を払う以外、製造後のパネルも優れて安定した表示品質を有する必要がある。
【０００４】
本考案の目的は、表示品質を改善可能な液晶表示装置を提供することである。
【課題を解決するための手段】
【０００５】
上述した目的を達成するために、本考案に係る液晶表示装置では、リード線、例えば、電極の特殊な形状により、電極の曲率が、当該電極に対応する遮光パターン部の湾曲部分の曲率と異なり、例えば、電極の湾曲部の両側が異なる曲率を有するため、液晶表示装置に電圧を印加する場合、電極の湾曲部に対応する、緩やかな一方側の液晶の回転量を増加させて、液晶の輝度を相対的に向上させることで、製品の表示品質を改善することができる。
液晶表示パネルの液晶分子は、この緩やかな一方側で回転量が増加して、その輝度が相対的に上昇するが、水平磁場成分によって液晶の倒れ方向がばらばらになるので、押圧時における配向の安定性が悪くなる。液晶表示パネルの、押圧時における配向の安定性の悪い領域に外部からタッチされると、暗縞領域が広くなりやすくて、この領域の液晶分子の回動角度が固定されて電界によって制御されない。そこで、実際製作時に、遮光パターン部により押圧時における配向の安定性の悪い領域を遮蔽することができる。
【０００６】
本考案に係る液晶表示装置は、第１基板と、第１基板に対向する第２基板と、第１基板と第２基板との間に設置される液晶層と、第１基板と第２基板との間に位置する遮光パターン部とを含む。第２基板は、複数のリード線を含む。遮光パターン部には、これらのリード線のうちの一本が第１方向に投影されて投影線分が形成される。投影線分は、遮光パターン部内に位置し、且つ、湾曲部と、前記湾曲部の両端に連結される２つの延在部とを含む。遮光パターン部の縁部と湾曲部との間の第２方向の距離は、遮光パターン部の縁部と２つの延在部の一方との間の第２方向の距離と異なる。第１方向は、第２方向に垂直となる。
【考案の効果】
【０００７】
本考案の液晶表示装置によれば、表示品質を向上させることができる。
【図面の簡単な説明】
【０００８】
【図１】本考案の一実施形態のフレンジ・フィールド・スイッチング（Ｆｒｉｎｇｅ  Ｆｉｌｅｄ  Ｓｗｉｔｃｈｉｎｇ；ＦＦＳ）の表示モードを用いた液晶表示装置の上面図である。
【図２】図１に示す液晶表示装置のＡ−Ａ矢視方向の断面図であって、データ線と、画素電極と、共通電極と、遮光パターン部との相対的な位置関係のみを示す。
【図３Ａ】第１実施形態の模擬試験における共通電極（Ｃｏｍ）の構造を示す模式図である。
【図３Ｂ】第２実施形態の模擬試験における共通電極の構造を示す模式図である。
【図３Ｃ】第１実施形態の共通電極構造及び第２実施形態の共通電極構造による諧調分布図である。
【図４】図１のマークした領域を示す模式図である。
【図５】表示パネルの１つの基板の背面から観察した、本考案の一実施形態の色遮断層、リード線、及び遮光パターン部を示す模式図である。
【図６】図５の点線でマークした領域を示す模式図。
【図７Ａ】図６のマークした湾曲領域が対応する第１基板の一部を示す模式図である。
【図７Ｂ】図６のマークした湾曲領域が対応する第２基板の一部を示す模式図である。
【図８】図６のマークした湾曲領域の拡大模式図である。
【図９】本考案の一実施形態の遮光パターン部及びリード線の投影線分の拡大模式図であって、遮光パターン部及びリード線に関連する曲率半径を示す。
【図１０】本考案の一実施形態の遮光パターン部及びリード線の投影線分の他の拡大模式図であって、投影線分の湾曲部の２つの関連曲率半径を示す。
【考案を実施するための形態】
【０００９】
本考案の一実施形態に係る液晶表示装置では、リード線、例えば、電極を特殊な形状に設計することで、電極の湾曲部の対向する両側の曲率が異なる。一実施形態において、電極の湾曲部は、その内方突出側の曲率が外方突出側の曲率よりも小さくなっており、例えば、弧状曲線となっている。液晶表示装置に電圧を印加する場合には、電極の湾曲部の内方突出側に対応する液晶の回転量を増加させて、液晶の輝度を相対的に向上させる。本実施形態は、適用可能な範囲が広くて、例えば、フリンジフィールドスイッチング（Ｆｒｉｎｇｅ  Ｆｉｅｌｄ  Ｓｗｉｔｃｈｉｎｇ：ＦＦＳ）の表示モードを用いた液晶表示装置に適用されることができる。
【００１０】
以下、添付図面を参照しながら、本考案の好適な実施形態について詳細に説明する。但し、これらの説明及び図面は本考案を説明するために用いるものに過ぎず、本発明の権利範囲を何ら制限するものではない。以下の図面においては、同じ部材が同じ符号を付与して説明する。以下説明する本考案の好適な実施形態は単に例示的なものであって、本考案の範囲を限定するものではないことを理解されたい。当業者であれば、必要に応じて、本考案の精神及び範囲を含む各種の変動や潤色は、本考案の保護を求める範囲内に属するものであることを理解されたい。そのため、本明細書に開示されていない実施形態も適用可能である。また、各図における部材のサイズ及び比は、実際の製品の寸法に基づいておらず、本考案の保護範囲を限定するものではない。
【００１１】
図１は、本考案の一実施形態のフレンジ・フィールド・スイッチングの表示モードを用いた液晶表示装置の上面図である。図２は、図１に示す液晶表示装置のＡ−Ａ矢視方向の断面図であって、データ線ＤＬと、画素電極ＰＥと、共通電極Ｃｏｍと、遮光パターン部ＢＭとの間の相対的な位置関係のみを示す。図１及び図２に示すように、共通電極Ｃｏｍ（例えば、パターン化されたＩＴＯ）は、画素電極ＰＥの上方に設置されるとともに、画素電極ＰＥとの間に絶縁層ＩＬが設けられる。画素電極ＰＥの下方には、層間誘電体層（ｉｎｔｅｒｌａｙｅｒ  ｄｉｅｌｅｃｔｒｉｃ）ＩＤＬがさらに設置される。層間誘電体層の下方には、下基板Ｓ１が設けられる。画素電極ＰＥは、１枚の電極であり、一方、共通電極Ｃｏｍは、パターン化された電極である。液晶分子ＬＣは、共通電極Ｃｏｍ及び画素電極ＰＥの縁部の間に発生する電界で駆動される。遮光パターン部は、上基板Ｓ２上に設置される。遮光パターン部（例えば、ブラックマトリックス）ＢＭは、データ線ＤＬの真上に位置し、異なる色を分離させる色遮断部としての機能だけではなく、データ線ＤＬを遮断する機能も有する。本実施形態では、例えば、図２に示す構成がフレンジ・フィールド・スイッチングの表示モードの一種である。もう一種のフレンジ・フィールド・スイッチングの表示モードの構成としては、画素電極ＰＥを共通電極Ｃｏｍの上方に設置し、画素電極ＰＥがパターン化された電極であり、共通電極Ｃｏｍが１枚の電極であり、画素電極ＰＥの下方に平坦化層及び層間誘電体層ＩＤＬを設置してもよい点で図２に示す構成と異なる。なお、本考案の各実施形態は、フレンジ・フィールド・スイッチングの表示モードのいずれの構成に適用することができる。
【００１２】
図２に示す構成において、共通電極Ｃｏｍの形状は、当該共通電極Ｃｏｍによる光学的効果を考慮して設計される。本考案の共通電極Ｃｏｍの形状は、図１に示すように、複数のサブ画素に対応する共通電極である。パターン化された共通電極Ｃｏｍは、それぞれが１つの湾曲部を有する複数の電極分岐を有する。湾曲部は、対向する内方突出側及び外方突出側を含む。湾曲部により、各サブ画素領域は液晶分子を異なる方向に配列させる２つの領域に仕切られる。これにより、広視野角効果を得ることができる。しかしながら、湾曲部は、液晶分子を異なる方向に配列させる２つの領域の交差点に位置する。このため、他の領域における液晶分子の倒れ方向に比べて、湾曲部に接近する領域における液晶分子の倒れ方向は乱れる。よって、画素が点灯した後、湾曲部付近の領域には暗縞が生じやすくなる。
【００１３】
上記により、本考案では、各実施形態の電極構造による輝度分布の変化への影響を観察するために、異なる実施形態に対して複数の模擬試験を行った。以下、模擬試験の結果の一部を示す。示される模擬試験の電極構造の設計、及び模擬試験の結果としての諧調値は、参照及び説明に過ぎず、本考案が適用可能な電極構造を限定するものではなく、さらに本考案を用いて輝度の向上に達する最適な効果を表すものではないことを理解されたい。
【００１４】
図３Ａ〜図３Ｃ及び表１を参照しながら説明する。図３Ａは、第１実施形態の模擬試験における共通電極（Ｃｏｍ）の構造を示す模式図である。図３Ｂは、第２実施形態の模擬試験における共通電極の構造を示す模式図である。図３Ｃは、第１実施形態の共通電極構造及び第２実施形態の共通電極構造による諧調分布図である。
【００１５】
模擬試験において、相対位置Ａは、例えば、参照点からの距離が４９．２５μｍの位置であり、相対位置Ｂは、例えば、参照点からの距離が５６．５μｍの位置であり、相対位置Ｃは、例えば、参照点からの距離が６４μｍの位置であり、相対位置Ｄは、例えば、参照点からの距離が７１．２５μｍの位置である。
【００１６】
図３Ｂに示すように、第２実施例の共通電極構造では、湾曲部の内方突出側（例えば、相対位置Ａ〜Ｄ）の曲率は、その外方突出側の曲率よりも小さい。実用上、電極の湾曲部の内方突出側は、垂直線分を含んでもよい。図３Ａに示すように、第１実施形態の共通電極構造では、その湾曲部の内方突出側は、外方突出側と同様に尖鋭な線分となる。相対位置１〜４は、輝度の極めて低い暗縞箇所を表し、一方、相対位置Ａ〜Ｄは、輝度の比較的高い明縞箇所を表す。両者の共通電極構造の諧調分布は、図３Ｃに示される。
【００１７】
【表１】
0003194343.tif 000003
【００１８】
上記の模擬試験の結果によれば、図３Ｃ及び表１に示すように、同じ相対位置Ａ〜Ｄにおいて、第１実施形態の共通電極構造に比べて、第２実施形態の共通電極構造が対応する諧調／輝度値が明らかに大きいことがわかる。この模擬試験では、諧調／輝度値の増加幅は、少なくとも２０％（相対位置Ａの場合）であり、さらに５０％（相対位置Ｃの場合）にもなる。このように、第２実施形態の設計によれば、即ち、湾曲部の内方突出側の曲率をその外方突出側の曲率よりも小さくするように設計すれば、共通電極構造が対応する輝度値を向上させることができる。
【００１９】
本考案の実施形態を適用する場合、実際の電極構造に応じて他の素子を調整することが好ましい。例えば、一適用例において、輝度を向上させるために、湾曲部の内方突出側が緩やかな弧状曲線を有するように電極構造を設計する。この場合には、電極によって湾曲部の円弧曲線に水平磁場成分が増加し、この領域における液晶表示パネルの液晶分子の回転量が増加して、その輝度が相対的に上昇するが、水平磁場成分により液晶の倒れ方向がばらばらになるので、押圧時における配向の安定性が悪くなる。液晶表示パネルの、押圧時における配向の安定性の悪い領域に外部からタッチされると、暗縞領域が広くなりやすくて、この領域の液晶分子の回転角度が固定されて電界よって制御されない。そこで、実際製作時に、遮光パターン部により押圧時における配向の安定性の悪い領域を遮蔽することができる。
【００２０】
図４は、図１のマークした領域を示す模式図である。図４に示すように、共通電極Ｃｏｍが図３Ｂに示す実施形態の電極構造を用いると、共通電極Ｃｏｍの湾曲部の内方突出側は、緩やかな弧状曲線を有して輝度を向上させることができるが、押圧時における配向の安定性の悪い領域（図４のマークした領域）が発生する可能性がある。この領域は、遮光パターン部（例えば、ブラックマトッリクスＢＭ）の適切な設計、例えば、この領域が対応するＩＴＯ共通電極Ｃｏｍの内方突出側を遮光パターン部ＢＭ内まで縮めることによって遮蔽され、これにより、暗縞領域による表示効果への影響を抑制する。
【００２１】
図５は、表示パネルの１つの基板の背面から観察した、本考案の一実施形態の色遮断層、リード線、及び遮光パターン部を示す模式図である。図６は、図５の点線でマークした領域を示す模式図。図７Ａは、図６のマークした湾曲領域が対応する第１基板の一部を示す模式図である。図７Ｂは、図６のマークした湾曲領域が対応する第２基板の一部を示す模式図である。図５、図６及び図７Ａ、図７Ｂに示すように、本実施形態に係る表示パネルは、第１基板１０、第２基板２０、及び、第１基板１０と第２基板２０との間に位置する表示層、例えば、液晶層を含む。第１基板１０と第２基板２０とは、例えば、それぞれカラーフィルタ基板（ＣＦ  ｓｕｂｓｔｒａｔｅ）と薄膜トランジスタ基板（ＴＦＴ  ｓｕｂｓｔｒａｔｅ）とである。第１基板１０上には、例えば、色遮断層が形成される。一実施形態において、色遮断層は、第１色遮断部１２ａ（例えば、緑色遮断部）、第２色遮断部１２ｂ（例えば、赤色遮断部）、及び第３色遮断部１２ｃ（例えば、青色遮断部）を含む。遮光パターン部１３は、例えば、ブラックマトッリクス（ＢＭ）であり、第１基板１０と第２基板２０との間に位置する。本実施形態において、遮光パターン部１３は、例えば、図７Ａに示すように、第１基板１０側に形成される。
【００２２】
第２基板２０上には、例えば、リード線２１が形成される。一実施形態において、リード線２１は、例えば、データ線である。図６及び図７Ｂに示すように、遮光パターン部１３には、これらのリード線２１のうちの一本が第１方向に投影されて投影線分２１Ｐが形成される。当該投影線分２１Ｐは、遮光パターン部１３内に位置する。図５に示すように、本実施形態のリード線の投影線分２１Ｐは、湾曲部（マークされた湾曲領域３０の位置）を有し、且つ湾曲部の内方突出側（２１Ｐ−Ｂ側）が外方突出側（２１Ｐ−Ｆ側）よりも緩やかである。さらに、リード線２１は、走査線を含んでもよくて、第１方向Ｄ１に投影されて第１基板１０において投影線分が形成される。当該投影線分は、第２方向Ｄ２に沿って延在する。また、図５に示すように、これらのリード線２１がデータ線の場合には、その主な延在方向が第２方向Ｄ２にほぼ垂直となる第３方向Ｄ３であり、且つ隣り合うデータ線及び走査線が交差して画素ユニットを規定する。後述する投影線分２１Ｐ、リード線２１、及び遮光パターン部１３は、大体、隣り合う２つの画素ユニットからなる領域内に位置する。
【００２３】
本実施形態において、図に示す第１基板１０は、色遮断層を含むカラーフィルタ基板であるが、これに限定されない。本考案は、色遮断層及びリード線が第２基板２０側に形成される液晶表示装置、例えば、ＣＯＡ（Ｃｏｌｏｒ  Ｆｉｌｔｅｒ  ｏｎ  Ａｒｒａｙ）型液晶表示装置に適用されてもよい。
【００２４】
また、本実施形態において、遮光パターン部に対するデータ線の曲率の変化を例示して説明するが、これに限定されない。他の導電層（例えば、ＩＴＯ）も本考案の精神から逸脱しない限り実施形態を適用して設計されてもよい。なお、本考案の実施形態を明確に説明するために、関連部材を図面に概略に示すことが当業者に理解されたい。
【００２５】
図８は、図６のマークした湾曲領域３０の拡大模式図である。一実施形態において、遮光パターン部１３には、リード線２１が第１方向Ｄ１に投影されて投影線分２１Ｐが形成される。投影線分２１Ｐは、遮光パターン部１３内に位置する。投影線分２１Ｐは、湾曲部２１１、及び湾曲部２１１の両端に連結される２つの延在部２１３を有する。湾曲部２１１の内方突出側辺２１１２（２１Ｐ−Ｂ側）は、それに対向する外方突出側辺２１１１（２１Ｐ−Ｆ側）よりも緩やかである。例えば、湾曲部２１１の内方突出側辺２１１２は、滑らかな弧状曲線であり、一方、その外方突出側辺２１１１は、鋭いピークのある曲線である。図６に示すように、一実施形態において、投影線分の長さが隣り合う第１走査線ＳＬ１及び第２走査線ＳＬ２の間の距離と定義されると、この投影線分は７等分されてもよい。ここでは、中央の１等分の位置が湾曲部に対応し、残りの６等分の位置がそれぞれ２つの延在部に対応してもよい。
【００２６】
一実施形態において、遮光パターン部１３の縁部は、外方突出側２１Ｐ−Ｆに隣り合う第１縁部１３１と、内方突出側２１Ｐ−Ｂに隣り合う第２縁部１３２とを含む。リード線２１の投影線分２１Ｐは、第１縁部１３１と第２縁部１３２との間に位置する。第１縁部１３１と投影線分２１Ｐの湾曲部２１１との間の第２方向Ｄ２の距離（図８に示す距離Ｒ１’）と、第２縁部１３２と投影線分２１Ｐの湾曲部２１１との間の第２方向Ｄ２の距離（図８に示す距離Ｒ１）とは、それぞれ、遮光パターン部１３の第１縁部１３１と２つの延在部２１３の一方との間の第２方向Ｄ２の距離（図８に示す距離Ｒ２’）と、遮光パターン部１３の第２縁部１３２と２つの延在部２１３の一方との間の第２方向Ｄ２の距離（図８に示す距離Ｒ２）と異なる。第１方向Ｄ１は、第２方向Ｄ２に垂直となる。一実施形態において、第２方向Ｄ２は、第３方向Ｄ３に実質的に垂直となる。
【００２７】
一実施形態において、上記の距離の定義について説明する。第１縁部１３１と投影線分２１Ｐの湾曲部２１１との間の第２方向Ｄ２の距離は、第１縁部１３１と湾曲部２１１の１つの凸部との間の第２方向Ｄ２の距離である。この凸部は、湾曲部２１１の外方突出側辺２１１１に位置する。当該外方突出側辺２１１１における凸部の接線は、第３方向Ｄ３と平行する。また、第２縁部１３２と投影線分２１Ｐの湾曲部２１１との間の第２方向Ｄ２の距離は、第２縁部１３２と湾曲部２１１の１つの凹部との間の第２方向Ｄ２の距離である。この凹部は、湾曲部２１１の内方突出側辺２１１２に位置する。内方突出側辺２１１２における凹部の接線は、第３方向Ｄ３と平行する。また、第１縁部１３１と２つの延在部２１３の一方との間の第２方向Ｄ２の距離は、第１縁部１３１のある部分延在部２１３との間の第２方向Ｄ２の距離である。第２縁部１３２と２つの延在部２１３の一方との間の第２方向Ｄ２の距離は、第２縁部１３２のある部分と延在部２１３との間の第２方向Ｄ２の距離である。
【００２８】
一実施形態において、遮光パターン部１３の第１縁部１３１と投影線分２１Ｐの湾曲部２１１との間の第２方向Ｄ２の距離をＲ１’とし、遮光パターン部１３の第１縁部１３１と投影線分２１Ｐの延在部２１３との間の第２方向Ｄ２の距離をＲ２’とする場合、距離Ｒ１’は距離Ｒ２’よりも短い。
【００２９】
一実施形態において、遮光パターン部１３の第２縁部１３２と投影線分２１Ｐの湾曲部２１１との間の第２方向Ｄ２の距離をＲ１とし、遮光パターン部１３の第２縁部１３２と投影線分２１Ｐの延在部２１３との間の第２方向Ｄ２の距離をＲ２とする場合、距離Ｒ１は距離Ｒ２よりも長い。
【００３０】
一実施形態において、図８に示す遮光パターン部１３の第１縁部１３１と投影線分２１Ｐの湾曲部２１１との間の第２方向Ｄ２の距離Ｒ１’は、第２縁部１３２と湾曲部２１１との間の第２方向Ｄ２の距離Ｒ１よりも短い。
【００３１】
また、図８に示すように、遮光パターン部１３は、投影線分２１Ｐの湾曲部２１１に対して遮光用曲げ部１３Ｃを有する。上記の遮光パターン部１３の第１縁部１３１は、第１湾曲縁部１３１Ｃを有し、第２縁部１３２は、第２湾曲縁部１３２Ｃを有する。遮光用曲げ部１３Ｃは、第１湾曲縁部１３１Ｃと第２湾曲縁部１３２Ｃとの間に位置する。実施形態において、第１湾曲縁部１３１Ｃの曲率は、第２湾曲縁部１３２Ｃの曲率よりも大きい。
【００３２】
なお、図８に示すように、投影線分２１Ｐの湾曲部２１１は、外方突出側辺２１１１、及び外方突出側辺２１１１に対向する内方突出側辺２１１２を有する。外方突出側辺２１１１の曲率は、例えば、内方突出側辺２１１２の曲率よりも大きい。即ち、リード線２１の湾曲部は、前端が尖状であって後端が丸くなるように設計されてもよいが、これに限定されない。
【００３３】
また、遮光パターン部１３とリード線２１を比較すると、図１及び図３に示すように、一実施形態の遮光パターン部１３の遮光用曲げ部１３Ｃの曲率（即ち、湾曲角度）は、例えば、リード線２１の投影線分２１Ｐの湾曲部２１１の曲率（即ち、湾曲角度）よりも小さい。
【００３４】
遮光パターン部１３の遮光用曲げ部１３Ｃの曲率及びリード線２１の投影線分２１Ｐの湾曲部２１１の曲率は、それぞれに関連する曲率半径により観察されてもよい。
【００３５】
図９は、本考案の一実施形態の遮光パターン部及びリード線の投影線分の拡大模式図であって、遮光パターン部及びリード線に関連する曲率半径を示す。図９及び図８においては、同じ部材が同じ符号を付与して説明する。これら部材については、上記とおりであるため、ここでその詳細を省略する。図９に示すように、遮光パターン部１３は、遮光用曲げ部１３Ｃを有する。遮光用曲げ部１３Ｃの周縁は、最小曲率半径Ｒｃを有し、投影線分２１Ｐの湾曲部２１１の周縁は、最小曲率半径Ｒｍを有する。ここで、最小曲率半径Ｒｃは、最小曲率半径Ｒｍよりも大きい。
【００３６】
図１０は、本考案の一実施形態の遮光パターン部及びリード線の投影線分の他の拡大図であって、投影線分の湾曲部に関連する２つの曲率半径を示す。図１０に示すように、一実施形態において、投影線分２１Ｐの湾曲部２１１の外方突出側辺２１１１を第１アークとし、内方突出側辺２１１２を第２アークとすると、第１アークの曲率半径、例えば、Ｒｍ’は、第２アークの曲率半径Ｒｍよりも小さい。
【００３７】
上記の実施形態では、遮光パターン部１３の構造及びリード線２１の投影線分２１Ｐの構造について説明した。色遮断部を有する第１基板（カラーフィルタ基板）に本考案を適用する実施形態の場合、リード線２１は、隣り合う２つの色遮断部の間にも対応する。図６及び図８に示すように、第１基板１０は、第１色遮断部１２ａ（例えば、緑色遮断部）及び第２色遮断部１２ｂ（例えば、赤色遮断部）を含む。リード線２１の投影線分２１Ｐは、隣り合う第１色遮断部１２ａと第２色遮断部１２ｂとの間に位置する。後述する色遮断部の縁部とは、表示パネルの基板の背面から色遮断層、リード線及び遮光パターン部を観察するときに、色遮断部と遮光パターン部との境界であり、光学顕微鏡により明確に観察されることができる。
【００３８】
一実施形態において、第２色遮断部１２ｂの縁部と投影線分２１Ｐの湾曲部２１１との間の第２方向Ｄ２の距離、例えばＲ１’は、第１色遮断部１２ａの縁部と湾曲部２１１との間の第２方向Ｄ２の距離、例えばＲ１よりも短い（即ち、図８に示すように、Ｒ１’＜Ｒ１）。
【００３９】
一実施形態において、第１色遮断部１２ａの縁部と投影線分２１Ｐの２つの延在部２１３の一方との間の第２方向Ｄ２の距離、例えばＲ２は、第１色遮断部１２ａの縁部と投影線分２１Ｐの湾曲部２１１との間の第２方向Ｄ２の距離、例えばＲ１よりも短い（即ち、図８に示すように、Ｒ２＜Ｒ１）。
【００４０】
一実施形態において、第２色遮断部１２ｂの縁部と投影線分２１Ｐの２つの延在部２１３の一方との間の第２方向Ｄ２の距離、例えばＲ２’は、第２色遮断部１２ｂの縁部と投影線分２１Ｐの湾曲部２１１との間の第２方向Ｄ２の距離、例えばＲ１’よりも長い（即ち、図８に示すように、Ｒ２’＞Ｒ１’）。
【００４１】
一実施形態において、上記の距離の定義について説明する。第２色遮断部１２ｂの縁部と投影線分２１Ｐの湾曲部２１１との間の第２方向Ｄ２の距離は、第２色遮断部１２ｂの縁部と湾曲部２１１の凸部との間の第２方向Ｄ２の距離である。この凸部は、湾曲部２１１の外方突出側辺２１１１に位置する。当該外方突出側辺における凸部の接線は、第３方向Ｄ３と平行する。また、第１色遮断部１２ａの縁部と投影線分２１Ｐの湾曲部２１１との間の第２方向Ｄ２の距離は、第１色遮断部１２ａの縁部と湾曲部２１１の凹部との間の第２方向Ｄ２の距離である。この凹部は、湾曲部２１１の内方突出側辺２１１２に位置する。当該内方突出側辺における凹部の接線は、第３方向Ｄ３と平行する。また、第２色遮断部１２ｂの縁部と２つの延在部２１３の一方との間の第２方向Ｄ２の距離は、第２色遮断部１２ｂの縁部のある部分と延在部との間の第２方向Ｄ２の距離である。第１色遮断部１２ａの縁部と２つの延在部２１３の一方との間の第２方向Ｄ２の距離は、第１色遮断部１２ａの縁部のある部分と延在部との間の第２方向Ｄ２の距離である。
【００４２】
また、一実施形態において、曲率半径を観察する場合には、図９に示すように、投影線分２１Ｐの湾曲部２１１に隣接する第１色遮断部１２ａの周縁は、最小曲率半径Ｒｃを有する。第１色遮断部１２ａに隣接する投影線分２１Ｐの湾曲部２１１の周縁は、最小曲率半径Ｒｍを有する。ここで、最小曲率半径Ｒｍは、最小曲率半径Ｒｃよりも小さい。
【００４３】
上記の実施形態によれば、リード線２１の湾曲部の内側は、比較的に緩やかであることがわかる。例えば、図に示す、遮光パターン部１３内に位置するリード線２１の投影線分２１Ｐの湾曲部２１１は、その内方突出側辺２１１２の曲率が外方突出側辺２１１１の曲率よりも小さくて、外方突出側辺２１１１が尖状（最小曲率半径Ｒｍ’）になり、内方突出側辺２１１２の円弧曲率が緩やか（最小曲率半径Ｒｍ，即ちＲｍ’＜Ｒｍ）になるように設計される。
【００４４】
上述したように、本考案の実施形態による液晶表示装置では、リード線及びそれに対応する遮光パターン部の湾曲部分が、例えば、異なる曲率を有する。一実施形態において、リード線の湾曲部の一方側は、他方側よりも緩やかであり、例えば、湾曲部の後側が比較的に緩やかな円弧曲線を有する。
【００４５】
以上により、本考案の好適な実施形態を前述の通り開示したが、これらは決して本考案を限定するものではない。本考案の明細書および図面による各種の変動および修正は、本考案の保護を求める範囲内に属するものである。
【符号の説明】
【００４６】
１０           第１基板
１２ａ         第１色遮断部
１２ｂ         第２色遮断部
１２ｃ         第３色遮断部
１３           遮光パターン部
１３１         第１縁部
１３２         第２縁部
１３Ｃ         遮光用曲げ部
１３１Ｃ       第１湾曲縁部
１３２Ｃ       第２湾曲縁部
２０           第２基板
２１           リード線
２１Ｐ         投影線分
２１１         湾曲部
２１Ｐ−Ｂ     湾曲部の後側（内方突出側）
２１Ｐ−Ｆ     湾曲部の前側（外方突出側）
２１１１       湾曲部の外方突出側辺
２１１２       湾曲部の内方突出側辺
２１３         延在部
３０           湾曲領域
Ｄ１           第１方向
Ｄ２           第２方向
Ｄ３           第３方向
Ｒ１、Ｒ１’、Ｒ２、Ｒ２’  距離
Ｒｃ、Ｒｍ、Ｒｍ’   最小曲率半径
Ａ〜Ｄ、１〜４ 相対位置
Ｍ２、ＤＬ     データ線
ＳＬ          走査線
ＢＭ          ブラックマトリックス
Ｃｏｍ        共通電極
ＰＥ          画素電極
ＩＬ          絶縁層
ＩＤＬ        層間誘電体層
ＬＣ          液晶分子
Ｓ１          下基板
Ｓ２          上基板
【図１】
0003194343.tif 000004
【図２】
0003194343.tif 000005
【図３Ａ】
0003194343.tif 000006
【図３Ｂ】
0003194343.tif 000007
【図３Ｃ】
0003194343.tif 000008
【図４】
0003194343.tif 000009
【図５】
0003194343.tif 000010
【図６】
0003194343.tif 000011
【図７Ａ】
0003194343.tif 000012
【図７Ｂ】
0003194343.tif 000013
【図８】
0003194343.tif 000014
【図９】
0003194343.tif 000015
【図１０】
0003194343.tif 000016